(57)【特許請求の範囲】
【請求項１】
柱状の巻芯部と該巻芯部の両端に設けられた一対の鍔部とを有するドラムコアと、該巻芯部に巻回され一端部と他端部とが該ドラムコア外に延出される巻線と、一対の該鍔部の一方に設けられて該一端部が継線される第一端子金具及び該他端が継線される第二端子金具とを備え、該第一端子金具には該一端部を継線する第一継線部が設けられ、該第二端子金具には該他端部を継線する第二継線部が設けられ、該巻線を該第一継線部から該巻芯部に導出して該巻芯部に巻回した後に該巻芯部から該第二継線部に導出して形成されるコイル部品を複数製造する方法であって、
各々の該第一継線部に、該巻線を狭持可能な第一腕部と、該第一継線部から該巻芯部を経て該第二継線部に引き回される該巻線の引回方向に関して該第一腕部の下流側に位置する第一巻線位置規制部と、を構成し、該第二継線部に、第二巻線位置規制部と、該巻線の該引回方向において該第二巻線位置規制部の下流側に位置し該巻線を狭持可能な第二腕部とを構成し、該第一巻線位置規制部は、該巻線が該第一継線部から該巻芯部へと導出される方向と交差する方向に延び該巻線の該ドラムコアに対するずれを防止する該第一周縁から構成され、該第二巻線位置規制部は、該巻線が該巻芯部から該第二継線部へと導出される方向と交差する方向に延び該巻線の該ドラムコアに対するずれを防止する第二周縁から構成され、該第一腕部を該第一周縁と交差する方向に延出して構成し、該第二腕部を該第二周縁と交差する方向に延出して構成する端子金具準備工程と、
一のコイル部品に係る一組の第一端子金具及び第二端子金具と、他のコイル部品に係る一組の第一端子金具及び第二端子金具とを一直線上に整列させると共に、一の該コイル部品に係る第二継線部と他の該コイル部品に係る第一継線部とを、該一直線と平行な直線上に配置する端子金具配置工程と、
各々の一組の該第一端子金具及び該第二端子金具に各々のドラムコアの一方の該鍔部をそれぞれ装着するドラムコア装着工程と、
該巻線を一のコイル部品に係る第一継線部に掛止し、一のコイル部品に係る巻芯部に巻回し、一のコイル部品に係る該第二継線部に掛止した後に、他のコイル部品に係る該第一継線部に掛止し、他のコイル部品に係る巻芯部に巻回し、他のコイル部品に係る第二継線部に掛止する巻線引回工程と、
各々の第一継線部に掛止された該巻線を各々の該第一継線部近傍位置で切断する第一継線部巻線切断工程と、各々の第二継線部に掛止された該巻線を各々の該第二継線部近傍位置で切断する第二継線部巻線切断工程と、各々の該第一継線部に掛止された該巻線を該第一継線部と電気的に接続する第一継線工程と、各々の該第二継線部に掛止された該巻線を該第二継線部と電気的に接続する第二継線工程と、を同時に若しくは順序を入れ換えて行う切断・継線工程と、を備え、
該巻線引回工程において各々の該第一継線部では、該第一周縁に該巻線が掛止されて該巻線の位置が規定されると共に該第一位置規制部の前後で巻線が屈曲され、該第一腕部を折り曲げて、該第一腕部の折り曲げられた部分で該第一周縁より上流側に位置する該巻線が保持され、
該巻線引回工程において各々の該第二継線部では、該第二周縁に該巻線が掛止されて該巻線の位置が規定されると共に該第二位置規制部の前後で巻線が屈曲され、該第二腕部を折り曲げて、該第二腕部の折り曲げられた部分で該第二周縁より下流側に位置する該巻線が保持されることを特徴とするコイル部品の製造方法。
【請求項２】
各々の該第一継線部と各々の該第二継線部とは、同一直線上に位置していることを特徴とする請求項１に記載のコイル部品の製造方法。
【請求項３】
該第一継線工程と該第二継線工程とは、該第一継線部巻線切断工程と該第二継線部巻線切断工程とが行われた後に実施されることを特徴とする請求項１または請求項２のいずれかに記載のコイル部品の製造方法。
【請求項４】
各々の該第一腕部は、該巻線を狭持可能な第一カシメ部と、該巻線の引回方向において該第一カシメ部の下流側に位置する第二カシメ部とをそれぞれ有し、
各々の該第二腕部は、該巻線を狭持可能な第三カシメ部と、該巻線の引回方向において該第三カシメ部の下流側に位置する第四カシメ部とをそれぞれ有し、
該第一カシメ部と、該第二カシメ部で該巻線を狭持すると共に該第三カシメ部と該第四カシメ部とで該巻線を狭持した後に、該第一カシメ部と、該第四カシメ部とにおいて、該第一継線工程と該第二継線工程とがそれぞれ行われることを特徴とする請求項３に記載のコイル部品の製造方法。
【発明の詳細な説明】
【技術分野】
【０００１】
本発明はコイル部品の製造方法に関し、特に複数のコイル部品を製造する方法に関する。
【背景技術】
【０００２】
従来、電気回路等において、ノイズ除去のためにノイズフィルタ等のコイル部品が用いられている。このコイル部品は回路基板への実装性を高めるために、フェライト等のコアに巻回された巻線がコアに設けられた端子金具と継線されて構成されている。よってコイル部品は、端子金具を回路上の電極にハンダ等により接合して、回路上に容易に実装することが可能となっている。
【０００３】
コイル部品は、電気回路等に実装される前に、予め巻線が端子金具等に継線されている必要があり、この継線に係る構成としては特許文献１に示されるように、端子部に巻線を巻き付けて継線する構成が開示されている。
【０００４】
特許文献１に示されるコイル部品では、一度に複数のコイル部品を製造する際に、一筆書きで複数のコイル部品に引き回されて巻回することが可能となっている。
【特許文献１】特開平１０−２２１３７号公報
【発明の開示】
【発明が解決しようとする課題】
【０００５】
しかし、特許文献一に示されるコイル部品では、その端子金具である金属片とからげ端子との位置関係から、一筆書きで巻線を引き回して巻回した場合に、一のコイル部品の巻線終了箇所から他のコイル部品の巻線開始箇所までの距離が長くなる。この場合に切断されて除去される巻線が多くなり、巻線の無駄が多大に発生していた。よって本発明は、巻線の無駄な部分を極力少なくしたコイル部品の製造方法を提供することを目的とする。
【課題を解決するための手段】
【０００６】
上記課題を解決するために、本発明は、柱状の巻芯部と巻芯部の両端に設けられた一対の鍔部とを有するドラムコアと、巻芯部に巻回され一端部と他端部とがドラムコア外に延出される巻線と、一対の鍔部の一方に設けられて一端部が継線される第一端子金具及び他端が継線される第二端子金具とを備え、第一端子金具には一端部を継線する第一継線部が設けられ、第二端子金具には他端部を継線する第二継線部が設けられ、巻線を第一継線部から巻芯部に導出して巻芯部に巻回した後に巻芯部から第二継線部に導出して形成されるコイル部品を複数製造する方法を提供する。この製造方法では、各々の第一継線部に、巻線を狭持可能な第一腕部と、第一継線部から巻芯部を経て第二継線部に引き回される巻線の引回方向に関して第一腕部の下流側に位置する第一巻線位置規制部と、を構成し、第二継線部に、第二巻線位置規制部と、巻線の引回方向において第二巻線位置規制部の下流側に位置し巻線を狭持可能な第二腕部とを構成し、第一巻線位置規制部は、巻線が第一継線部から巻芯部へと導出される方向と交差する方向に延び巻線のドラムコアに対するずれを防止する第一周縁から構成され、第二巻線位置規制部は、巻線が巻芯部から第二継線部へと導出される方向と交差する方向に延び巻線のドラムコアに対するずれを防止する第二周縁から構成され、第一腕部を第一周縁と交差する方向に延出して構成し、第二腕部を第二周縁と交差する方向に延出して構成する端子金具準備工程と、一のコイル部品に係る一組の第一端子金具及び第二端子金具と、他のコイル部品に係る一組の第一端子金具及び第二端子金具とを一直線上に整列させると共に、一のコイル部品に係る第二継線部と他のコイル部品に係る第一継線部とを、一直線と平行な直線上に配置する端子金具配置工程と各々の一組の第一端子金具及び第二端子金具に各々のドラムコアの一方の鍔部をそれぞれ装着するドラムコア装着工程と、巻線を一のコイル部品に係る第一継線部に掛止し、一のコイル部品に係る巻芯部に巻回し、一のコイル部品に係る第二継線部に掛止した後に、他のコイル部品に係る第一継線部に掛止し、他のコイル部品に係る巻芯部に巻回し、他のコイル部品に係る第二継線部に掛止する巻線引回工程とを備えており、更に、各々の第一継線部に掛止された巻線を各々の第一継線部近傍位置で切断する第一継線部巻線切断工程と、各々の第二継線部に掛止された巻線を各々の第二継線部近傍位置で切断する第二継線部巻線切断工程と、各々の第一継線部に掛止された巻線を第一継線部と電気的に接続する第一継線工程と、各々の第二継線部に掛止された巻線を第二継線部と電気的に接続する第二継線工程と、を同時に若しくは順序を入れ換えて行う切断・継線工程と、を備え、巻線引回工程において各々の第一継線部では、第一周縁に巻線が掛止されて巻線の位置が規定されると共に第一位置規制部の前後で巻線が屈曲され、第一腕部を折り曲げて、第一腕部の折り曲げられた部分で第一周縁より上流側に位置する巻線が保持され、また巻線引回工程において各々の第二継線部では、第二周縁に巻線が掛止されて巻線の位置が規定されると共に第二位置規制部の前後で巻線が屈曲され、第二腕部を折り曲げて、第二腕部の折り曲げられた部分で第二周縁より下流側に位置する巻線が保持されている。
【０００７】
このような製造方法によると、隣り合う一のコイル部品と他のコイル部品との間において、一のコイル部品の巻回終了位置となる第二継線部と他のコイル部品の巻開始位置となる第一継線部との間の距離を、一のコイル部品と他のコイル部品との間の距離と等しい距離とすることができる。従って、一のコイル部品と他のコイル部品との間に位置する巻線の長さを最も短くすることができる。また各端子金具に巻線位置規制部を有しているので、余計な治具を用いることなくコイル部品自体が備える構造で巻線の位置を規制することができる。よって巻線引回工程において、巻線位置規制部により継線部に対する巻回位置及びドラムコアに対する巻回位置を正確にして、巻線を配置することができる。
【０００８】
上記の製造方法に係るコイル部品において、各々の第一継線部と各々の第二継線部とは、同一直線上に位置していることが好ましい。このような構成によると、各々のコイル部品において同一形状とすることができる。
【００１１】
また第一継線工程と第二継線工程とは、第一継線部巻線切断工程と第二継線部巻線切断工程とが行われた後に実施されることが好ましい。
【００１２】
このような製造方法によると、例えば溶接等により継線する場合に、既に余分な巻線が切断されて除去されているため、溶接玉が安定して形成される。
【００１３】
また各々の第一腕部は、巻線を狭持可能な第一カシメ部と、巻線の引回方向において第一カシメ部の下流側に位置する第二カシメ部とをそれぞれ有し、各々の第二腕部は、巻線を狭持可能な第三カシメ部と、巻線の引回方向において第三カシメ部の下流側に位置する第四カシメ部とをそれぞれ有し、第一カシメ部と、第二カシメ部で巻線を狭持すると共に第三カシメ部と第四カシメ部とで巻線を狭持した後に、第一カシメ部と、第四カシメ部とにおいて、第一継線工程と第二継線工程とがそれぞれ行われることが好ましい。
【００１４】
このような構成によると、第二カシメ部及び第三カシメ部で巻線を保持した状態で、継線工程を行うことができる。よって継線工程時において、巻線が継線部より外れることが抑制され、安定して継線作業を行うことができる。
【発明の効果】
【００１５】
本発明の製造方法によれば、巻線の無駄な部分を極力省いてコイル部品を製造することができる。
【発明を実施するための最良の形態】
【００１６】
以下、本発明の実施の形態によるコイル部品の製造方法について図１から図１２に基づき説明する。先ず、本発明の製造方法で製造されるコイル部品について説明する。コイル部品１は、４ｍｍ四方程度の大きさであり、プリント配線基盤等にリフローハンダ付け等で面実装され、各種電子機器においてチョークコイルとして用いられる部品である。
【００１７】
図１に示されるコイル部品１は、ドラムコア２と、巻線３と、端子金具４とから構成されている。ドラムコア２は、例えばＮｉ−Ｚｎ系の磁性材料を基材として、図２に示されるように、巻芯部２１と、一対の鍔部２２、２３とから構成されている。巻芯部２１は略柱状に構成され、巻線３が巻回されている。一対の鍔部２２、２３はそれぞれ同形かつ略円板状で、巻芯部２１の軸方向両端に一体に設けられている。巻芯部２１と、一対の鍔部２２、２３とは同軸的に配置されている。また一方の鍔部である鍔部２３には、後述の第一端子５と第二端子６とに対応する箇所に、図５に示されるように、接着剤塗布箇所２３Ａ、２３Ｂが設けられている。
【００１８】
巻線３は銅線にウレタン被膜が施された被覆銅線から構成されており、巻芯部２１に巻回されて一端部３１及び他端部３２で端子金具４（図１）に継線されている。
【００１９】
端子金具４は、燐青銅等の銅合金を基材としており、図３に示されるように、第一端子５と第二端子６とから構成されている。また図４に示されるように、端子金具４は、後述のリードフレーム４０として一体に板材を打ち抜き加工して構成されている。第一端子５と第二端子６とは、並列して配置され、その並列方向と直交する面において対称に構成されている。よって代表として第一端子５について説明する。
【００２０】
第一端子５は第一実装部５１と第一継線部５２とから主に構成されている。第一実装部５１は略長方形の板材より構成されており、その一面側（紙面において上側）がドラムコア２との接合箇所となり、他面側（紙面において下側）が図示せぬ回路基板との実装箇所になっている。この第一実装部５１の長手方向の一端部に第一継線部５２が設けられている。
【００２１】
第一継線部５２は、巻線３が未だ継線されていない状態で、第一実装部５１の平面と平行となるように第一実装部５１との間に屈曲箇所を経て第一実装部５１の一面側に持ち上げられて設けられており、その外周部分に第一周縁５２Ａが規定されている。また第一継線部５２は、第一巻線位置規制部５２Ｂと、第二カシメ部である第一巻線保持部５２Ｃと、第一カシメ部である第一電気的接合部５２Ｄとを備えている。
【００２２】
第一巻線位置規制部５２Ｂは、継線部屈曲箇所の近傍に位置する第一周縁５２Ａの一部から規定されており、この第一巻線位置規制部５２Ｂを規定する第一周縁５２Ａの一部は、第一実装部５１の長手方向と直交する方向に延びている。また第一巻線位置規制部５２Ｂに係る第一周縁５２Ａの一部の、第一実装部５１の長手方向と直交する方向の長さは、少なくとも巻線３（図２）の直径より大きくなるように構成されている。
【００２３】
第一巻線保持部５２Ｃは、第一巻線位置規制部５２Ｂを規定する第一周縁５２Ａの一部の近傍位置に設けられており、巻線３を保持可能な腕部を備えている。
【００２４】
第一電気的接合部５２Ｄは、第一巻線位置規制部５２Ｂに対して第一巻線保持部５２Ｃよりも離間した位置に設けられている。故に第一巻線保持部５２Ｃは、巻線３の経路上において第一電気的接合部５２Ｄより巻芯部２１（図２）における巻回部分側に位置している。第一電気的接合部５２Ｄにおいても、第一巻線保持部５２Ｃと同様の腕部を備えている。
【００２５】
また第一実装部５１において、短手方向の一端部であって、第一実装部５１において反第二端子６側となる位置に一面側に向けて延出された一対の第一フィレット形成片５３、５３が設けられている。第一フィレット形成片５３、５３は、コイル部品１が図示せぬ回路基板に実装される際に、好適にフィレットが形成されるように設けられている。
【００２６】
第二端子６も第一端子５と同様に第二実装部６１と、第二継線部６２と、第二フィレット形成片６３、６３が設けられ、第二継線部６２はその外周部分に第二周縁６２Ａが規定されると共に、第二巻線位置規制部６２Ｂと、第三カシメ部である第二巻線保持部６２Ｃと、第四カシメ部である第二電気的接合部６２Ｄとを備えている。
【００２７】
この端子金具４を備えるリードフレーム４０は、図４に示されるように、長手方向に延びるフレーム４１を有している。フレーム４１には複数の端子金具４が、第一端子５と第二端子６との整列方向がフレーム４１の長手方向と略平行となるように設けられている。
【００２８】
以下、上記構成のドラムコア２、巻線３、端子金具４からコイル部品１を製造する方法について説明する。先ず端子金具配置工程として、図４に示されるリードフレーム４０を準備する。このリードフレーム４０において、一の製造中のコイル部品１’に係る第一端子５及び第二端子６は、それぞれ第一実装部５１及び第二実装部６１の長手方向が略平行となり、第一継線部５２及び第二継線部６２の向きが同一となるように配置されている。また一の製造中のコイル部品１’に係る一組の第一端子５及び第二端子６と、隣り合う他の製造中のコイル部品１’に係る一組の第一端子５及び第二端子６とが一直線上に整列していると共に、一の製造中のコイル部品１’に係る第二継線部６２と隣り合う他の製造中のコイル部品１’に係る第一継線部５２とが、該一直線と平行な直線上に配置されている。また全ての端子金具４において、全ての第一継線部５２と第二継線部６２とは、同一直線上に位置している。
【００２９】
上記リードフレーム４０に対し、図５に示されるドラムコア２を取り付ける（ドラムコア装着工程）。具体的には、ドラムコア２の一方の鍔部２３に設けられた接着剤塗布箇所２３Ａ、２３Ｂが第一端子５の第一実装部５１と、第二端子６の第二実装部６１上に位置するように、ドラムコア２を配置する。第一端子５及び第二端子６は、フレーム４１により、一体となっているため、ドラムコア２を配置する際に、接着剤塗布箇所２３Ａ、２３Ｂと第一実装部５１及び第二実装部６１との間にずれが生じることが抑制され、精度良くドラムコア２を端子金具４上に配置することができる。
【００３０】
ドラムコア２において接着剤塗布箇所２３Ａ、２３Ｂには接着剤が塗布されているため、図６に示されるようにリードフレーム４０上にドラムコア２を配置した状態で接着剤が硬化し、ドラムコア２と端子金具４とが一体に固定される。
【００３１】
次に図８に示されるように、巻線３を引き回していく（巻線引回工程）。巻線３は、ノズル３Ａから延出されて、図示せぬ固定部に固定された後に一の製造中のコイル部品１’にかかる第一継線部５２に引き回される。具体的には巻線３が第一電気的接合部５２Ｄ位置から第一継線部５２の下面に配置され、第一巻線保持部５２Ｃ側へと配線される。第一巻線保持部５２Ｃを過ぎた巻線３は第一継線部５２の上面側に配線され、第一巻線位置規制部５２Ｂに掛止される。そしてドラムコア２の巻芯部２１（図３）に向けて延出され巻芯部２１に巻回される。
【００３２】
第一巻線位置規制部５２Ｂにおける第一周縁５２Ａの一部は、巻線３がドラムコア２の巻芯部２１に向かって導出される方向と交差する方向である第一電気的接合部５２Ｄから第一巻線保持部５２Ｃに向かう方向に延びている。第一巻線位置規制部５２Ｂにおいて巻線３は、第一巻線保持部５２Ｃ近傍位置で第一継線部５２の下面側から上面側へと配線されて第一周縁５２Ａの一部に掛止されて、巻芯部２１側へと導出されるため、第一巻線位置規制部５２Ｂの前後で巻線３が屈曲される。故に巻線３の屈曲部分が第一巻線位置規制部５２Ｂに掛止され、巻線３の配置位置を規定することが可能となる。これにより巻線３の第一端子５に対するずれが防止され、故に巻線３の継線を確実にすることができる。
【００３３】
巻線３は図３に示されるように、巻芯部２１に複数回巻回された後に、図４に示されるように、第二継線部６２に向けて導出される。そして第二継線部６２の上面側から第二巻線位置規制部６２Ｂに掛止されて第二巻線保持部６２Ｃ位置から第二継線部６２の下面側へと引き回されて、第二電気的接合部６２Ｄ側へと配線される。そして第二電気的接合部６２Ｄの端部位置から第二継線部６２外へと導出されて、一の製造中のコイル部品１’に係る巻線３の引き回しが終了し、隣り合う他の製造中のコイル部品１’に係る第一継線部５２へと巻線３が引き回され、同様に配線される。
【００３４】
このように巻線３を引き回することにより、隣り合う一の製造中のコイル部品１’と他の製造中のコイル部品１’との間において、一の製造中のコイル部品１’に係る巻回終了位置となる第二継線部６２と他の製造中のコイル部品１’に係る巻開始位置となる第一継線部５２との間の巻線３の距離が、一の製造中のコイル部品１’と他の製造中のコイル部品１’との間の距離と等しい最短距離となる。従って、一の製造中のコイル部品１’と他の製造中のコイル部品１’との間に位置する巻線３の長さを最も短くすることができる。
【００３５】
また第一端子５、第二端子６にそれぞれ第一巻線位置規制部５２Ｂ、第二巻線位置規制部６２Ｂを有しているので、余計な治具を用いることなくコイル部品１自体が備える構造で巻線３の位置を規制することができる。よって巻線引回工程において、第一巻線位置規制部５２Ｂ、第二巻線位置規制部６２Ｂにより第一継線部５２、第二継線部６２に対する巻回位置及びドラムコア２に対する巻回位置を正確にして、巻線３を配置することができる。
【００３６】
フレーム４１に接続された端子金具４にかかる全ての第一継線部５２及び第二継線部６２に巻線３が引き回された後に、図９（ａ）に示されるように、第一電気的接合部５２Ｄ、第一巻線保持部５２Ｃ、第二巻線保持部６２Ｃ、及び第二電気的接合部６２Ｄがカシメられて、第一継線部５２及び第二継線部６２において巻線３が保持される。
【００３７】
この場合に第一巻線保持部５２Ｃでは確実に巻線３を狭持して保持する必要があるが、第一電気的接合部５２Ｄでは少なくとも巻線３が第一電気的接合部５２Ｄにあればよい。第二継線部６２においても同様である。
【００３８】
巻線３が第一継線部５２及び第二継線部６２において保持された後に、図９（ｂ）に示されるように、第一継線部５２に掛止する巻線３を第一継線部５２近傍位置で切断するとともに、第二継線部６２に掛止された巻線３を第二継線部６２近傍位置で切断する（第一継線部巻線切断工程、第二継線部巻線切断工程）。
【００３９】
巻線３が切断された状態で、図１０に示されるように、アーク溶接器３Ｂにより溶接による継線を行う（第一継線工程、第二継線工程）。この場合に第一継線部５２においては、第一電気的接合部５２Ｄが溶融されて、巻線３（図９）と溶接される。第二継線部６２においては、第二電気的接合部６２Ｄが溶融されて、巻線３（図９）と溶接される。
【００４０】
巻線３は、第一巻線保持部５２Ｃ及び第二巻線保持部６２Ｃ保持されているため、第一電気的接合部５２Ｄ及び第二電気的接合部６２Ｄを溶融したとしても、第一継線部５２及び第二継線部６２から巻線３が外れることが防がれている。よって継線工程時において、安定して継線作業を行うことができる。
【００４１】
また継線工程は、不要な巻線３が切断された後に行われているため、第一電気的接合部５２Ｄ及び第二電気的接合部６２Ｄで保持される巻線３の量は略一定となっている。第一端子５及び第二端子６は対称な形状であるため、第一電気的接合部５２Ｄと第二電気的接合部６２Ｄとの大きさも略等しくなっている。よって継線工程により、第一電気的接合部５２Ｄ及び第二電気的接合部６２Ｄを溶接して形成される溶接玉は、図１１に示されるように、略同一形状に安定して形成される。従って、溶接玉が大きくなって、コイル部品１の外殻に係る寸法が変化することが抑制される。
【００４２】
そして図１２に示されるように、フレーム４１から端子金具４を切り離し、複数のコイル部品１が完成する。
【００４３】
本発明によるコイル部品の製造方法は、上述した実施の形態に限定されず、特許請求の範囲に記載された範囲で種々の変形や改良が可能である。例えば本実施の形態では、第一端子５及び第二端子６が並んでいる一直線と平行な直線上に全ての第一継線部５２、第二継線部６２が並んでいるが、これに限らず、図１３に示されるように、少なくとも隣り合う第一のコイル部品１’の第一継線部５２と他のコイル部品１’の第二継線部６２とが、第一端子５及び第二端子６が並んでいる一直線と平行な直線上にあればよい。
【００４４】
このような構成であっても、隣り合う一の製造中のコイル部品１’と他の製造中のコイル部品１’との間において、一の製造中のコイル部品１’の巻回終了位置となる第二継線部６２と他の製造中のコイル部品１’の巻開始位置となる第一継線部５２との間の巻線３の距離が、一の製造中のコイル部品１’と他の製造中のコイル部品１’との間の距離と等しい距離となる。従って、一の製造中のコイル部品１’と他の製造中のコイル部品１’との間に位置する巻線３の長さを最も短くすることができる。
【図面の簡単な説明】
【００４５】
【図１】本発明の実施の形態に係るコイル部品の斜視図。
【図２】本発明の実施の形態に係るコイル部品のコアと巻線を示す側面図。
【図３】本発明の実施の形態に係るコイル部品の端子金具に係る斜視図。
【図４】本発明の実施の形態に係るコイル部品の製造工程を示す図であって、リードフレームを示す斜視図。
【図５】本発明の実施の形態に係るコイル部品の製造工程を示す図であって、ドラムコアを示す斜視図。
【図６】本発明の実施の形態に係るコイル部品の製造工程を示す図であって、ドラムコアをリードフレームに固定した状態を示す斜視図。
【図７】本発明の実施の形態に係るコイル部品の製造工程を示す図であって、リードフレームから連結部を取り外した状態を示す斜視図。
【図８】本発明の実施の形態に係るコイル部品の製造工程を示す図であって、巻線引回工程を示す斜視図。
【図９（ａ）】本発明の実施の形態に係るコイル部品の製造工程を示す図であって、巻線がカシメられた状態を示す部分斜視図。
【図９（ｂ）】本発明の実施の形態に係るコイル部品の製造工程を示す図であって、巻線切断工程を示す部分斜視図。
【図１０】本発明の実施の形態に係るコイル部品の製造工程を示す図であって、継線工程を示す斜視図。
【図１１】本発明の実施の形態に係るコイル部品の製造工程を示す図であって、継線工程後の状態を示す斜視図。
【図１２】本発明の実施の形態に係るコイル部品の製造工程を示す図であって、コイル部品が完成した状態を示す斜視図。
【図１３】本発明の実施の形態の変形例に係る巻線引き回工程を示す図。
【符号の説明】
【００４６】
１、１'・・コイル部品  ２・・ドラムコア  ３・・巻線  ３Ａ・・ノズル
３Ｂ・・アーク溶接器  ３１・・一端部  ３２・・他端部  ４・・端子金具
５・・第一端子  ６・・第二端子  ２１・・巻芯部  ２２・・鍔部  ２３・・鍔部
２３Ａ、２３Ｂ・・接着剤塗布箇所  ４０・・リードフレーム  ４１・・フレーム
５１・・第一実装部  ５２・・第一継線部  ５２Ａ・・第一周縁
５２Ｂ・・第一巻線位置規制部  ５２Ｃ・・第一巻線保持部
５２Ｄ・・第一電気的接合部  ５３・・第一フィレット形成片  ６１・・第二実装部
６２・・第二継線部  ６２Ａ・・第二周縁  ６２Ｂ・・第二巻線位置規制部
６２Ｃ・・第二巻線保持部  ６２Ｄ・・第二電気的接合部
６３・・第二フィレット形成片
【図１】
0004483820.tif 000002
【図２】
0004483820.tif 000003
【図３】
0004483820.tif 000004
【図４】
0004483820.tif 000005
【図５】
0004483820.tif 000006
【図６】
0004483820.tif 000007
【図７】
0004483820.tif 000008
【図８】
0004483820.tif 000009
【図９（ａ）】
0004483820.tif 000010
【図９（ｂ）】
0004483820.tif 000011
【図１０】
0004483820.tif 000012
【図１１】
0004483820.tif 000013
【図１２】
0004483820.tif 000014
【図１３】
0004483820.tif 000015